(57)【特許請求の範囲】
【請求項１】
表面材と、裏面材と、該表面材及び裏面材の間に位置する枠材とを備え、表面材及び裏面材の間に蓄熱体が組み込まれた蓄熱構造体であって、
上記蓄熱体は、伝熱機能を有する袋状の封入部と、該封入部の周縁部又は互いに対向する縁部から外方向に一体に延びる伝熱機能を有する耳部と、上記封入部に封入された潜熱蓄熱材とからなり、
上記表面材と枠材とが両者間に上記耳部を挟んで一体的に接合され、かつ該耳部により上記封入部が外方向に引っ張られることで、該封入部が表面材の裏面に伝熱可能に当接又は近接した状態で支持されていることを特徴とする蓄熱構造体。
【請求項２】
請求項１において、
耳部は、封入部の表面材側の袋壁部と面一になるように厚さ方向に片寄った位置から外側に延びていることを特徴とする蓄熱構造体。
【請求項３】
請求項１又は２において、
蓄熱体は、少なくとも２つの封入部が該両封入部間に位置する中間耳部を介して一体形成されたものであり、
表面材と枠材とが両者間に上記中間耳部を挟んで一体的に接合されていることを特徴とする蓄熱構造体。
【請求項４】
請求項１〜３のいずれか１つにおいて、
表面材の裏側に、蓄熱体の封入部と接触又は近接するように発熱手段又は冷却手段が組み込まれていることを特徴とする蓄熱構造体。
【請求項５】
請求項１〜４のいずれか１つにおいて、
裏面材と蓄熱体との間に、蓄熱体の封入部と接触又は近接するように断熱手段が組み込まれていることを特徴とする蓄熱構造体。
【請求項６】
請求項１〜５のいずれか１つにおいて、
表面材の表面に裏面側の枠材の位置がマーキングされていることを特徴とする蓄熱構造体。
【請求項７】
請求項１〜６のいずれか１つの蓄熱構造体を製造する方法であって、
角材からなる枠材又は角材を方形に組んだ枠材の上から蓄熱体を耳部が枠材上に一致するように載置し、
上記蓄熱体の表面に表面材を載置して、表面材及び枠材を一体的に接合する工程を有することを特徴とする蓄熱構造体の製造方法。
【請求項８】
請求項１〜６のいずれか１つの蓄熱構造体を製造する方法であって、
表面材を裏返しにしてその裏面に蓄熱体を載置し、
上記蓄熱体の耳部上に角材からなる枠材又は角材を方形に組んだ枠材を載置し、
上記表面材及び枠材を一体的に接合する工程を有することを特徴とする蓄熱構造体の製造方法。
【発明の詳細な説明】
【技術分野】
【０００１】
本発明は、潜熱蓄熱材を備えていて室内等を恒温化できる蓄熱構造体及びその製造方法に関する。
【背景技術】
【０００２】
従来、省エネ効果や接触温冷感の向上を図る目的で、潜熱蓄熱材を封入した容器を内部の空洞に収容した潜熱蓄熱建材は知られている。この蓄熱材に十分な強度がない場合には、例えば特許文献１に示されるように、基材に一定の間隔をあけて小根太や桟を設けて強度を確保し、それらの間に潜熱蓄熱材を収容配置することが行われている。
【０００３】
このような構造では、潜熱蓄熱材で構成される蓄熱部が小根太や桟によって分断され、建材の表面において、裏面側に潜熱蓄熱材のある部分と、それがない小根太や桟の部分との間に温度差が生じる。そのため、特許文献１においては、潜熱蓄熱材と小根太や桟とに亘って均熱板で覆い、小根太や桟の部分にも潜熱蓄熱材から均熱板により伝熱されて温度差が生じないようにすることが提案されている。
【先行技術文献】
【特許文献】
【０００４】
【特許文献１】特開２００５−２２０５６５号公報
【発明の概要】
【発明が解決しようとする課題】
【０００５】
ところが、上記特許文献１のもののように、均熱板を配置する構造では、潜熱蓄熱材に加え均熱板が別途に必要であり、双方により材料費が増加するとともに、製造工程も増え、コストダウンに限度があるという問題があった。
【０００６】
また、潜熱蓄熱体を単に区画中に配しただけでは、その潜熱蓄熱材の蓄熱による液固相変化による体積変動により、蓄熱材と表面材との間に隙間が発生し、有効な蓄熱効果が得られないという問題があった。
【０００７】
本発明は斯かる諸点に鑑みてなされたもので、その目的は、上記のような基材に一定の間隔をあけて小根太や桟を設けて強度を確保し、それらの間に潜熱蓄熱材を収容配置する蓄熱構造体において、その構造に工夫を加えることにより、均熱板を不要としてコストダウンを図るとともに、効果的な蓄熱効果が得られるようにすることにある。
【課題を解決するための手段】
【０００８】
上記の目的の達成のため、この発明では、潜熱蓄熱材を封入する袋体自体を均熱機能（伝熱機能）を有するものとするとともに、その周縁部又は対向する縁部に伝熱用の耳部を一体に形成して、この耳部により潜熱蓄熱材のない部分にも伝熱できるようにした。
【０００９】
具体的には、請求項１の発明では、表面材と、裏面材と、該表面材及び裏面材の間に位置する枠材とを備え、表面材及び裏面材の間に蓄熱体が組み込まれた蓄熱構造体として、上記蓄熱体は、伝熱機能を有する袋状の封入部と、この封入部の周縁部又は互いに対向する縁部から外方向に一体に延びる伝熱機能を有する耳部と、上記封入部に封入された潜熱蓄熱材とからなる。そして、上記表面材と枠材とが両者間に上記耳部を挟んで一体的に接合され、かつ該耳部により上記封入部が外方向に引っ張られることで、該封入部が表面材の裏面に伝熱可能に当接又は近接した状態で支持されていることを特徴とする。
【００１０】
この請求項１の発明では、蓄熱構造体は、表面材及び裏面材の間に枠材が設けられたものであるので、その枠材により蓄熱構造体の強度を確保することができる。
【００１１】
また、上記表面材及び裏面材の間に配置される蓄熱体は、潜熱蓄熱材が封入された袋状の封入部及びそれから外方向に一体に延びる耳部が伝熱機能を有しているので、その袋状の封入部及び耳部が伝熱機能により均熱部材として機能する。しかも、その耳部が表面材と枠材との間に挟持され、この耳部により引っ張られることで封入部が表面材の裏面に伝熱可能に当接又は近接した状態で支持されているので、表面材の表側において封入部（潜熱蓄熱材）の位置する部分と、封入部がなくて耳部の位置する部分との間で温度差が生じることはないとともに、封入部を表面材の裏面に伝熱可能に当接又は近接した状態に付勢するための付勢手段が別途に不要となる。
【００１２】
そして、このように蓄熱体の封入部及び耳部が均熱部材となるので、均熱板を別途設ける必要がなく、材料費を低減することができる。また、表面材の裏側に蓄熱体の封入部を配置するときに、同時にその耳部を表面材と枠材との間に配置するだけでよく、効率よく製造することができる。これらによりコストダウンを図ることができる。
【００１３】
請求項２の発明では、請求項１の発明の蓄熱構造体において、上記耳部は、封入部の表面材側の袋壁部と面一になるように厚さ方向に片寄った位置から外側に延びていることを特徴とする。
【００１４】
この請求項２の発明では、耳部は、封入部の厚さ方向の中央部ではなく、封入部の表面材側の袋壁部と面一になるように厚さ方向に片寄った位置から外側に延びているので、蓄熱体を表面側に密着させた状態で保持することができるだけでなく、蓄熱体の液固変化による体積変化の影響を受けることなく、密着状態を保持することができる。
【００１５】
請求項３の発明では、請求項１又は２の発明の蓄熱構造体において、上記蓄熱体は、少なくとも２つ（複数）の封入部が該両封入部間に位置する中間耳部を介して一体形成されたものであり、上記表面材と枠材とが両者間に上記中間耳部を挟んで一体的に接合されていることを特徴とする。
【００１６】
この請求項３の発明では、複数の封入部が中間耳部を介して一体形成されているので、それら複数の封入部は中間耳部を介して連続していることとなる。そのため、複数の蓄熱体が分離している場合のように、枠材上で蓄熱体の耳部が途切れることはないとともに、均熱性のためにそれら耳部を枠材上で重ね合わせる手間も不要となり、効率よく確実に均熱性を高めることができる。
【００１７】
請求項４の発明では、請求項１〜３のいずれか１つの発明の蓄熱構造体において、上記表面材の裏側に、蓄熱体の封入部と接触又は近接するように発熱手段又は冷却手段が組み込まれていることを特徴とする。
【００１８】
この請求項４の発明では、組み込まれた発熱手段による温熱又は冷却手段による冷熱が蓄熱体の封入部及び耳部を介して表面材に伝わる。このことで、表面材の表面で均一な加温効果又は冷却効果を得ることができる。
【００１９】
請求項５の発明では、請求項１〜４のいずれか１つの発明の蓄熱構造体において、上記裏面材と蓄熱体との間に、蓄熱体の封入部と接触又は近接するように断熱手段が組み込まれていることを特徴とする。
【００２０】
この請求項５の発明では、組み込まれた断熱材により、表面からの加温又は冷却により蓄熱体に蓄積された温熱又は冷熱が裏面側に逃げにくいため、封入部及び耳部を介して効率的に表面材に伝わる。このことで、表面材の表面で均一な蓄熱効果を得ることができる。
【００２１】
請求項６の発明では、請求項１〜５のいずれか１つの発明の蓄熱構造体において、上記表面材の表面に裏面側の枠材の位置がマーキングされていることを特徴とする。
【００２２】
この請求項６の発明では、表面材の表面にマーキングが形成されているので、そのマーキングの位置によって表面材の表側から枠材の位置が容易に判るようになり、例えば、そのマーキングの位置に釘等を打ち込んで施工することで、蓄熱体の耳部に釘等を間違いなく打ち込むことが可能であり、蓄熱体の封入部を損傷することなく施工することができ、施工が容易となる。
【００２３】
請求項７の発明は、上記請求項１〜６のいずれか１つの発明の蓄熱構造体を製造する方法であり、この方法では、角材からなる枠材又は角材を方形に組んだ枠材の上から蓄熱体を耳部が枠材上に一致するように載置し、この蓄熱体の表面に表面材を載置して、表面材及び枠材を一体的に接合する工程を有することを特徴とする。
【００２４】
この請求項７の発明では、枠材の上から蓄熱体が耳部を枠材上に一致するように載置された後、その蓄熱体の封入部及び耳部の表面に表面材が載置され、それら表面材及び枠材が一体的に接合される。このことで、蓄熱構造体を容易に製造することができる。
【００２５】
請求項８の発明も、上記請求項１〜６のいずれか１つの発明の蓄熱構造体を製造する方法であって、この方法では、表面材を裏返しにしてその裏面に蓄熱体を載置し、上記蓄熱体の耳部上に角材からなる枠材又は角材を方形に組んだ枠材を載置し、表面材及び枠材を一体的に接合する工程を有することを特徴とする。
【００２６】
この請求項８の発明では、裏返しにされた表面材の裏面に蓄熱体が当接状態で載置されるとともに、その蓄熱体の耳部上に枠材が載置され、その後、表面材及び枠材が一体的に接合される。この方法では、表面材と蓄熱体が接触した蓄熱構造体を容易に製造することができる。
【発明の効果】
【００２７】
以上説明した如く、請求項１の発明の蓄熱構造体によると、潜熱蓄熱材が封入された袋状の封入部と、封入部から外方向に一体に延びる耳部とを伝熱機能を有するものとして蓄熱体を構成し、表面材と枠材とを両者間に耳部を挟んだ状態で一体的に接合し、この耳部の支持により封入部を外方向に引っ張って表面材の裏面に伝熱可能に当接又は近接させたことにより、蓄熱構造体の強度を確保することができるとともに、袋状の封入部及び耳部が均熱部材となり、封入部の付勢手段を別途に要することなく、表面材の表側での均熱性を高めることができる。しかも、均熱板を不要として材料費を低減できるとともに、均熱板のための別途の工程が不要で効率よく製造でき、コストダウンを図ることができる。
【００２８】
請求項２の発明では、耳部は、封入部の厚さ方向の中央部ではなく、封入部の表面材側の袋壁部と略面一になるように厚さ方向に片寄った位置から外側に延びているので、蓄熱体を表面側に密着させた状態で保持することができるだけでなく、蓄熱体の液固変化による体積変化の影響を受けることなく、密着状態を保持することができる。
【００２９】
請求項３の発明によると、蓄熱体は、複数の封入部が両封入部間に位置する中間耳部を介して一体形成されたものとし、表面材と枠材とを両者間に中間耳部が挟まれた状態で一体的に接合したことにより、効率よく確実に均熱性を高めることができる。
【００３０】
請求項４の発明によると、表面材の裏側に、蓄熱体の封入部と接触又は近接するように発熱手段又は冷却手段を組み込んだことにより、表面材の表面で均一な加温効果又は冷却効果を得ることができる。
【００３１】
請求項５の発明によると、表面材の裏側に、蓄熱体の封入部と接触又は近接するように組み込まれた断熱材により、表面からの加温又は冷却により蓄熱体に蓄積された温熱又は冷熱が裏面側に逃げにくいため、封入部及び耳部を介して効率的に表面材に伝わるようになり、表面材の表面で均一な蓄熱効果を得ることができる。
【００３２】
請求項６の発明によると、表面材の表面に裏面側の枠材の位置をマーキングしたことにより、そのマーキングの位置によって表面材の表側から枠材の位置が容易に判るようになり、施工の容易化を図ることができる。
【００３３】
請求項７の発明の蓄熱構造体の製造方法では、枠材の上に蓄熱体を耳部が枠材上に一致するように載置し、その蓄熱体の表面に表面材を載置して、表面材及び枠材を一体的に接合することとした。また、請求項８の発明の蓄熱構造体の製造方法では、裏返しにした表面材の裏面に蓄熱体を載置し、その耳部上に枠材を載置して、表面材及び枠材を一体的に接合することとした。これらの発明によると、蓄熱構造体を容易に製造することができる。
【図面の簡単な説明】
【００３４】
【図１】図１は、本発明の実施形態１に係る蓄熱構造体を概略的に示す断面図である。
【図２】図２は、実施形態１に係る蓄熱構造体を分解して概略的に示す断面図である。
【図３】図３は、実施形態１に係る蓄熱構造体を概略的に示す斜視図である。
【図４】図４は、蓄熱体を裏側から見た拡大斜視図である。
【図５】図５は、実施形態２に係る蓄熱構造体を示す図２相当図である。
【図６】図６は、実施形態３に係る蓄熱構造体を示す図１相当図である。
【図７】図７は、実施形態４に係る蓄熱構造体を示す図２相当図である。
【図８】図８は、実施形態４に係る蓄熱構造体の蓄熱体を裏側から見た斜視図である。
【図９】図９は、実施形態５に係る蓄熱構造体を示す図２相当図である。
【図１０】図１０は、実施形態６に係る蓄熱構造体を示す図２相当図である。
【発明を実施するための形態】
【００３５】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３６】
（実施形態１）
図１〜図３は本発明の実施形態１に係る蓄熱構造体Ａを示し、この蓄熱構造体Ａは、例えば床材、壁材、床下地材、壁下地材、天井下地材等の建材、或いはその他の蓄熱用途に使用される。
【００３７】
蓄熱構造体Ａは、表面材１及び裏面材２と、表面材１及び裏面材２の間に位置する枠材３とを備え、表面材１及び裏面材２の間に蓄熱体８が組み込まれている。上記表面材１は、例えば幅３０３ｍｍ、長さ１８１８ｍｍ、厚さ３ｍｍの矩形板状のもので、合板やＭＤＦ等が好適に用いられる。或いはパーティクルボードやハードボード等のその他の木質材料、大建工業（株）製の商品名「ダイライト」等の無機質系板材等、通常に建材として用いられる１〜１５ｍｍ程度の板状の材料が用いられる。
【００３８】
また、枠材３は、複数の同じ幅Ｗの角材を平行に並べたもの又は角材を方形に組んだもので、例えば木材やプラスチック等の棒状材からなる。
【００３９】
さらに、裏面材２は、表面材１と同じ大きさのもので、表面材１と同様に、通常に建材として用いられる材料が用いられる。この場合、表面材１と裏面材２は使用される加熱手段や冷却手段、断熱手段による反り等に鑑み、同じ材料・同じ厚みのものを使用してもよいし、適宜材質や厚みを替えて使用してもよい。
【００４０】
上記表面材１と裏面材２との間の空間は上記枠材３によって所定厚さの複数の空間に区画されており、この各空間により蓄熱体収容部５が形成され、該蓄熱体収容部５に上記蓄熱体８が組み込まれている。この蓄熱体８は、例えば図４に裏側から見た状態で示すように、蓄熱体収容部５よりも少し小さい矩形状の大きさで厚さの薄い（例えば１５ｍｍ）可撓性のある袋状の容器（パック）からなる封入部９を有し、この封入部９の内部に潜熱蓄熱材１３（図１及び図２に記載）が気密状に充填されて封入されている。
【００４１】
上記潜熱蓄熱材１３は、パックに封入されるため、マイクロカプセル化されていない潜熱蓄熱材やゲル化された潜熱蓄熱材等も使用することができる。この潜熱蓄熱材１３としては、例えばｎ−オクタデカン、ｎ−ヘキサデカンが主原料のノルマルパラフィンが用いられる。このノルマルパラフィンは、融点が１８〜３２℃のもので、基本的に融点よりも低い温度で固体となり、融点よりも高い温度で液体となる。この潜熱蓄熱材１３の融点温度は、冬季の暖房負荷削減のためには、暖房設定温度に近い、例えば２０℃前後とするのが良く、夏季の冷房負荷削減のためには、冷房設定温度に近い、例えば２８℃前後とするのが望ましい。この潜熱蓄熱材１３としてのノルマルパラフィンは略そのまま封入部９に詰められて使用され、温度変化に応じて固体・液体と相変化する。ノルマルパラフィンの比重は約０．８である。
【００４２】
ノルマルパラフィン以外の潜熱蓄熱材１３としては、無機水和塩（塩化カルシウム六水和塩、硫酸ナトリウム十水和塩等）、脂肪酸類（パルミチン酸、ミリスチン酸等）、芳香族炭化水素化合物（ベンゼン、ｐ−キシレン等）、エステル化合物（パルミチン酸イソプロピル、ステアリン酸ブチル等）、アルコール類（ステアリルアルコール等）、ポリアルキレングリコール等を使用することができる。
【００４３】
上記封入部９には、その四周全体の周縁部から外方向（表裏方向と垂直な方向）に突出するように延びる耳部１０が設けられており、この耳部１０の幅Ｌ（封入部９からの突出長さ）は、例えば上記枠材３の幅Ｗの略半分とされている。尚、蓄熱構造体Ａの周縁部に位置する蓄熱体８には、その蓄熱構造体Ａ外側に他の蓄熱体８がないので、外側の耳部１０の幅Ｌを、枠材３の幅Ｗと略同じとするのが好ましい。また、図４に示すように、上記耳部１０は、封入部９の厚さ方向の中央部ではなく、封入部９の表面材１側の袋壁部と略面一になるように厚さ方向に片寄った位置から外側に延びているのが好ましい。
【００４４】
尚、耳部１０は、上記のように封入部９の四周全体の周縁部から外方向に突出するように延びるものとするのに限定されない。これに代え、耳部１０を封入部９の対向する２つの縁部（例えば矩形状の封入部９においてその対向する２つの短辺部又は長辺部）のみから外方向に突出するように延びるものとすることもでき、耳部１０により封入部９を引っ張って表面材１の裏面に伝熱可能に当接又は近接させた状態で支持するようにすればよい。
【００４５】
上記耳部１０は封入部９と一体形成されたもので、いずれも均熱機能（伝熱機能）を有する例えばアルミニウム等、熱伝導性の優れた伝熱材料からなる。その他、この封入部９及び耳部１０の伝熱材料としては、アルミニウムの他に例えばポリエチレンやポリオレフィン等の表面にアルミニウム薄膜を積層一体化したものやアルミニウム蒸着したもの等を用いることができるが、充填する潜熱蓄熱材１３と反応しないものを用いる必要がある（例えば、潜熱蓄熱材１３としてパラフィンを用いる場合はオレフィン等と反応するので、他の樹脂を選択しなければならない）。最も好適には、ＰＥＴ及びポリエチレンの複合体にアルミニウムを蒸着したものを用いることができる（例えば特開平１１−２２７８４３号公報や特開２００８−１８４６６４号公報に示されている材料を参照）。
【００４６】
そして、図１に示すように、上記蓄熱体８の封入部９は蓄熱体収容部５内に収容されて表面材１の裏面に伝熱可能に当接又は近接しており、その状態で、上記表面材１と枠材３とが両者間に上記蓄熱体８の耳部１０を密着状態で挟んで（挟持して）一体的に接合されている。すなわち、表面材と枠材３とを、蓄熱体８の耳部１０を挟んで一体的に接合することで、この耳部１０により引っ張られて封入部９が表面材１の裏面に伝熱可能に当接又は近接した状態で支持されている。
【００４７】
このとき、隣り合う２つの蓄熱体８，８の耳部１０，１０は、上記枠材３と表面材１との間の接合部分で各々の端部が突き合わされて配置されている。
【００４８】
また、上記表面材１、裏面材２及び枠材３を接合固定するための手段、並びに蓄熱体８の耳部１０を接合固定するための手段としては、両面テープ、ホットメルト、ＰＵＲホットメルト、ウレタン系接着剤、エポキシ系接着剤等の接着剤、ステープル、釘、ビス等を用いたり、或いはそれらを併用したりすればよく、必要とする接合強度に応じて適宜選択する。
【００４９】
さらに、図３に示すように、上記表面材１の表面には、裏面側にある上記枠材３の位置が線や点等の目印Ｍによってマーキングされている。
【００５０】
上記蓄熱構造体Ａを製造する場合、２つの製造方法がある。第１の製造方法では、裏面材２の上に、角材からなる枠材３又は角材を方形に組んだ枠材３を固定して蓄熱体収容部５を区画形成する。
【００５１】
次いで、その枠材３の上から蓄熱体８を、封入部９が蓄熱体収容部５に入りかつ耳部１０が枠材３上に一致するように載置する（図２参照）。その際、耳部１０を枠材３に両面テープやステープル等で仮止めしてもよい。
【００５２】
その後、上記枠材３上の蓄熱体８の表面に表面材１を載置して、表面材１と枠材３との間に耳部１０を挟持して封入部９を表面材１の裏面に伝熱可能に配置し、その状態で表面材１及び枠材３（裏面材２）を一体的に接合する。
【００５３】
第２の製造方法では、表面材１を裏返しにしてその裏面に蓄熱体８を載置する。
【００５４】
次いで、その蓄熱体８の耳部１０上に角材からなる枠材３又は角材を方形に組んだ枠材３を載置し、表面材１と枠材３との間に耳部１０を挟んで封入部９を表面材１の裏面に伝熱可能に配置する。
【００５５】
そして、表面材１及び枠材３を一体的に接合した後、上記枠材３上に裏面材２を裏返しにして載置し、両者を一体的に接合する。
【００５６】
これらの製造方法により、上記蓄熱構造体Ａを容易に製造することができる。
【００５７】
したがって、この実施形態においては、蓄熱構造体Ａは表面材１及び裏面材２の間に蓄熱体８と共に枠材３が一体的に組み込まれたものであるので、その枠材３により蓄熱構造体Ａの強度を確保することができる。
【００５８】
また、上記枠材３の間に配置される蓄熱体８は、潜熱蓄熱材１３が封入された袋状の封入部９及びそれから周縁に一体に延びる耳部１０が均熱機能を有しており、その耳部１０が表面材１と枠材３との間に挟まれて支持され、この耳部１０の支持により封入部９が表面材１の裏面に伝熱可能に配置されているので、その袋状の封入部９及び耳部１０が均熱部材として機能し、この均熱部材により表面材１の裏面側は均等の温度に保持される。そのため、表面材１の表側においても、封入部９（潜熱蓄熱材１３）の位置する部分と、封入部９がない部分（枠材３のみが位置する部分）との間で温度差が生じることはなく、均熱性を得ることができる。
【００５９】
また、蓄熱体８の封入部９は、表面材１と枠材３との間に挟持された耳部１０により引っ張られて表面材１の裏面に伝熱可能に当接又は近接した状態で支持されているので、封入部９を表面材１の裏面に伝熱可能に当接又は近接した状態に付勢するための別途の付勢手段が不要であるだけでなく、蓄熱体の液固変化による体積変化の影響を受けることなく、密着状態を保持することができる。
【００６０】
そして、このように蓄熱体８の封入部９及び耳部１０が均熱部材となるので、均熱板を別途設ける必要がなく、その分、材料費を低減することができる。また、表面材１の裏側に蓄熱体８の封入部９を配置するときに、同時にその耳部１０を表面材１と枠材３との間に配置するだけでよく、別途の工程も不要で効率よく製造することができる。これらにより蓄熱構造体Ａのコストダウンを図ることができる。
【００６１】
また、蓄熱構造体Ａの表面材１表面に裏面側の枠材３の位置が目印Ｍによりマーキングされているので、その目印Ｍの位置によって表面材１の表側から枠材３の位置が容易に判るようになる。そのため、例えば、その目印Ｍの位置に釘等を打ち込んで施工することで、蓄熱体８の封入部９を損傷することなく施工することができ、施工が容易となる。
【００６２】
（実施形態２）
図５は実施形態２を示し（尚、以下の各実施形態では、図１〜図４と同じ部分については同じ符号を付してその詳細な説明を省略する）、表面材１と枠材３との間に介在される、蓄熱体８の耳部１０の配置構造を変えたものである。
【００６３】
すなわち、上記実施形態１では、隣り合う２つの蓄熱体８，８の耳部１０，１０を、枠材３と表面材１との間の接合部分で各々の端部が突き合わされた状態で配置している。これに対し、この実施形態２においては、隣り合う２つの蓄熱体８，８の耳部１０，１０同士を、枠材３と表面材１との間の接合部分で重ね合わせた状態で配置している。この場合、耳部１０の幅Ｌは、上記実施形態１のものよりも大きくし、枠材３の幅Ｗと略同じとするのが好ましい。その他の構成は実施形態１と同じである。
【００６４】
こうすることにより、均熱部材としての２つの蓄熱体８，８の耳部１０，１０が両蓄熱体８，８間に亘り途切れることなく確実に伝熱可能に連続するので、均熱性をより一層高めることができる利点がある。
【００６５】
（実施形態３）
図６は実施形態３を示し、上記実施形態１では、枠材３と裏面材２とを別体に設けて両者を一体に接合するようにしているのに対し、裏面材２と枠材３とを一体に形成したものである。
【００６６】
すなわち、この実施形態では、裏面材２及び枠材３を形成するための厚肉の合板やＭＤＦ、インシュレーションボードやパーティクルボード等の木質材料からなる基材（裏面材２）の表面を切削して凸部及び凹部を形成し、その凸部が枠材３を構成し、凹部が蓄熱体収容部５となっている。その他の構成は実施形態１と同じである。
【００６７】
したがって、この実施形態においても実施形態１と同様の作用効果を奏することができる。
【００６８】
（実施形態４）
図７及び図８は実施形態４を示し、蓄熱体８の構造を変え、複数の封入部９，９，…を一体化したものである。
【００６９】
すなわち、この実施形態では、実施形態１のように、蓄熱体８が１つの封入部９に耳部１０を備えたものとは異なり、図８に示すように、蓄熱体８は、少なくとも２つ（複数）の封入部９，９，…が、隣接する両封入部９，９間に位置する中間耳部１０′を介して一体形成されている。この中間耳部１０′の幅Ｌは、枠材３の幅Ｗよりも少し大きくなるように設定されている。また、蓄熱構造体Ａの周辺に位置する封入部９おいては、該封入部９に隣接する封入部９とは反対側に実施形態１と同様の耳部１０が形成されている。そして、図７に示すように、表面材１と枠材３とは両者間に上記中間耳部１０′を挟んで一体的に接合されている。その他は実施形態１と同様である。
【００７０】
したがって、この実施形態においては、蓄熱体８は複数の封入部９，９，…が中間耳部１０′，１０′，…を介して一体形成されているものであるので、それら複数の封入部９，９，…は中間耳部１０′，１０′，…を介して連続していることとなる。そのため、複数の封入部９，９，…が分離している実施形態１や実施形態２のように、枠材３上で耳部１０が途切れることはなく（図２参照）、それら耳部１０を枠材３上で重ね合わせる手間も不要となり（図５参照）、効率よく確実に均熱性を高めることができる利点が得られる。
【００７１】
（実施形態５）
図９は実施形態５を示し、上記実施形態１の構造において、蓄熱体収容部５に発熱装置を配置したものである。
【００７２】
この実施形態においては、蓄熱体収容部５の底部である裏面材２の表面に断熱材１５が収容されている（断熱材１５に代えて緩衝材を設けてもよい）。また、この断熱材１５と蓄熱体８との間の蓄熱体収容部５には、発熱装置１６（発熱手段）が封入部９の裏面側と伝熱可能に接触又は近接するように収容されて組み込まれている。この発熱装置１６としては、例えば電気式ヒータパネル、温水パイプ、温冷水パネル、面状発熱体（面状ヒータ）、ペルチェ素子の発熱板等が用いられる。その他の構成は実施形態１と同様である。
【００７３】
この実施形態においては、蓄熱構造体Ａに発熱装置１６が組み込まれているので、その発熱装置１６による温熱が蓄熱体８の封入部９及び耳部１０を介して表面材１に伝わり、表面材１の表面で均一な加温効果を得ることができる利点がある。
【００７４】
尚、この実施形態５において、発熱装置１６に代えて、冷水パネル、温冷水パネル、ペルチェ素子の冷却板等の冷却装置（冷却手段）を配置してもよい。その場合、冷却装置による冷熱が蓄熱体８の封入部９及び耳部１０を介して表面材１に伝わり、表面材１の表面で均一な冷却効果を得ることができる。
【００７５】
また、裏面材２の位置に発熱装置又は冷却装置を配置して、裏面材２自体を発熱装置又は冷却装置で構成することもできる。
【００７６】
（実施形態６）
図１０は実施形態６を示し、上記実施形態５では、蓄熱構造体Ａに発熱装置１６（又は冷却装置）を組み込んでいるのに対し、断熱材のみを組み込んだものである。
【００７７】
すなわち、この実施形態では、実施形態５の構成において、発熱装置１６や冷却装置がなく、断熱材１５のみが収容されている。その他の構成は実施形態５と同じである。
【００７８】
したがって、この実施形態においては、蓄熱構造体Ａに断熱材１５が組み込まれているので、その断熱材１５により蓄熱体８の封入部９及び耳部１０が蓄熱構造体Ａ裏側から断熱され、表面からの加温又は冷却による蓄熱を効果的に上方に利用することができ、表面材１の表面で均一な蓄熱効果を得ることができる利点がある。
【００７９】
（その他の実施形態）
尚、本発明は、上記各実施形態に限定されるものではなく、それらの実施形態を適宜組み合わせた構成も含まれることは勿論である。
【産業上の利用可能性】
【００８０】
本発明は、蓄熱構造体での均熱板を不要として材料費を低減でき、かつ効率よく製造できて、コストダウンを図ることができる。また、蓄熱体の液固変化による体積変化の影響を受けることなく、表面材と密着状態を保持することもできるので、極めて有用であり、産業上の利用可能性が高い。
【符号の説明】
【００８１】
Ａ  蓄熱構造体
１  表面材
Ｍ  目印
２  裏面材
３  枠材
８  蓄熱体
９  封入部
１０  耳部
１０′  中間耳部
１３  潜熱蓄熱材
１５  断熱材
１６  発熱装置（発熱手段）
【図１】
0005931475.tif 000002
【図２】
0005931475.tif 000003
【図３】
0005931475.tif 000004
【図４】
0005931475.tif 000005
【図５】
0005931475.tif 000006
【図６】
0005931475.tif 000007
【図７】
0005931475.tif 000008
【図８】
0005931475.tif 000009
【図９】
0005931475.tif 000010
【図１０】
0005931475.tif 000011